(57)【要約】【課題】  均等に開く掛止片を備えたボード用アンカー、スラブ下筋によって雌ネジ部が塞がれないスペーサー、およびこれらの組み合わせた中空スラブ用緊結具を提供することである。【解決手段】  ボード用アンカー１は、軸体２の一端部に、他端側へ向かって外側に開いた複数の掛止片３が設けられ、該掛止片３の自由端部には、軸体２を取付用開孔１２に嵌合させたときに、軸体２を取付用開孔１２の中心部に位置付けさせるとともに、掛止片３を外側に開かせる位置決め片４を取り付けたことである。【選択図】図１
2005133467.tif 000002
【特許請求の範囲】
【請求項１】
軸体の一端部に、他端側へ向かって外側に開いた複数の掛止片が設けられ、該掛止片の自由端部には、軸体を取付用開孔に嵌合させたときに、軸体を取付用開孔の中心部に位置付けさせるとともに、掛止片を外側に開かせる位置決め片を取り付けたことを特徴とするボード用アンカー。
【請求項２】
軸体の一端部に、他端部へ向かって外側に開いた複数の掛止片が設けられ、軸体が嵌入される取付用開孔の径をφするとき、前記掛止片間の軸体の厚みが（０．８〜１．０）×φで、幅が（０．２〜０．３）×φで、掛止片の厚さが（０．２〜０．３）×φで、掛止片の最大開き寸法が（１．２５〜１．５）×φで、掛止片の傾斜角度が１：１．５〜２．５であることを特徴とするボード用アンカー。
【請求項３】
ボルトの頭部側にねじ込まれた筒体に、他端部に向かって外側に開いた複数の掛止片が設けられ、該掛止片の自由端部には位置決め片がリング状の嵌合体で接続され、該嵌合体はボルトをスライドし、該ボルトが取付用開孔に嵌合されたときに、ボルトを取付用開孔の中心部に位置付けさせるとともに、掛止片を外側に開かせるものであることを特徴とするボード用アンカー。
【請求項４】
位置決め片は、掛止片の自由端部に対して内側方向に１２０〜１５０度の角度をもって取り付けられたことを特徴とする請求項１〜３のいずれかに記載のボード用アンカー。
【請求項５】
位置決め片または嵌合体は、取付用開孔に嵌合されたときに、上部が取付用開孔から上側に突出するように掛止片に取り付けられたことを特徴とする請求項１〜４のいずれかに記載のボード用アンカー。
【請求項６】
軸体の他端部には、雄ネジ部が形成されていることを特徴とする請求項１〜５のいずれかに記載のボード用アンカー。
【請求項７】
位置決め片は、ボルトを取付用開孔の中心部に位置させる厚さであることを特徴とする請求項１〜６のいずれかに記載のボード用アンカー。
【請求項８】
雄ネジ部およびボルトには、高ナットがねじ込まれたことを特徴とする請求項１〜７のいずれかに記載のボード用アンカー。
【請求項９】
適宜厚さを有するスペーサー本体の中央部に雌ネジ部が貫通して設けられ、スペーサー本体の一面における雌ネジ部を挟んだＸ軸方向およびＹ軸方向の対向箇所にそれぞれ突起が設けられ、これらの突起間には鉄筋載置部が形成されたことを特徴とするスペーサー。
【請求項１０】
鉄筋載置部は、高所載置部と低所載置部とを段差をもって形成したことを特徴とする請求項８に記載のスペーサー。
【請求項１１】
請求項３〜８のボード用アンカーの雄ネジ部またはボルトに、スラブ下筋を載せるスペーサーが取り付けられ、該スペーサーの上面には連結支柱が立設され、該連結支柱の上部にはスラブ上筋を配筋する鉄筋拘束具が設けられたことを特徴とする中空スラブ用緊結具。
【発明の詳細な説明】
【技術分野】
【０００１】
本発明はボード用アンカー、スペーサーおよび中空スラブ用緊結具に関するものである。
【背景技術】
【０００２】
従来、ボード用アンカー４１としては、図９に示すように、筒体４２が軸方向に沿って複数に分割されて外側に開かせた掛止片４３をボルト４４の頭部側にねじ込んだものが知られている。このボード用アンカー４１は、掛止片４３の上端部が取付用開孔４５の周縁に掛け止めされて、型枠４６に取り付けられるようになっている。また、この他のボード用アンカーとしては、特開２００２−５４６１９号公報の発明がある。
一方、スペーサー４７としては、図１０に示すように、適宜高さのスペーサー本体の中央部に雌ネジ部４８が貫通して設けられたものが知られ、このスペーサー本体の上面にスラブ下筋４９が設置されるようになっている。その他のスペーサーとしては、２００２−６１３３４号公報の発明がある。
【特許文献１】特開２００２−５４６１９号公報
【特許文献２】特開２００２−６１３３４９号公報
【発明の開示】
【発明が解決しようとする課題】
【０００３】
しかし、上記の図９に示すボード用アンカー４１は、ボルト４４にねじ込んだ掛止片４３がネジの遊び分だけガタつくため、均等に開かずに取付用開孔４５の周縁に掛け止めされないという問題があった。特に、合板の型枠４６の場合は、取付用開孔４５の裏面周縁にできたささくれで、掛止片４３が均等に開くのを阻害していた。また、例え、掛止片４３が均等に開いたとしても、ボルト４４が取付用開孔４５の中心部に位置しなければ、裏面周縁に掛け止めされないという問題があった。
【０００４】
また、上記の図１０に示すスペーサー４７は、スペーサー本体の上面に設置されたスラブ下筋４９によって雌ネジ部４８が塞がれるという問題があった。
【０００５】
本発明は上記のような問題に鑑みてなされたものであり、その目的は、均等に開く掛止片を備えたボード用アンカー、スラブ下筋によって雌ネジ部が塞がれないスペーサー、およびこれらの組み合わせた中空スラブ用緊結具を提供することである。
【課題を解決するための手段】
【０００６】
本発明のボード用アンカーの請求項１の発明は、軸体の一端部に、他端側へ向かって外側に開いた複数の掛止片が設けられ、該掛止片の自由端部には、軸体を取付用開孔に嵌合させたときに、軸体を取付用開孔の中心部に位置付けさせるとともに、掛止片を外側に開かせる位置決め片を取り付けたことを特徴とする。またボード用アンカーの請求項２の発明は、軸体の一端部に、他端部へ向かって外側に開いた複数の掛止片が設けられ、軸体が嵌入される取付用開孔の径をφするとき、前記掛止片間の軸体の厚みが（０．８〜１．０）×φで、幅が（０．２〜０．３）×φで、掛止片の厚さが（０．２〜０．３）×φで、掛止片の最大開き寸法が（１．２５〜１．５）×φで、掛止片の傾斜角度が１：１．５〜２．５であることを特徴とする。またボード用アンカーの請求項３の発明は、ボルトの頭部側にねじ込まれた筒体に、他端部に向かって外側に開いた複数の掛止片が設けられ、該掛止片の自由端部には位置決め片がリング状の嵌合体で接続され、該嵌合体はボルトをスライドし、該ボルトが取付用開孔に嵌合されたときに、ボルトを取付用開孔の中心部に位置付けさせるとともに、掛止片を外側に開かせるものであることを特徴とする。またボード用アンカーの請求項４の発明は、請求項１〜３のいずれかにおいて、位置決め片は、掛止片の自由端部に対して内側方向に１２０〜１５０度の角度をもって取り付けられたことを特徴とする。またボード用アンカーの請求項５の発明は、請求項１〜４のいずれかにおいて、位置決め片または嵌合体は、取付用開孔に嵌合されたときに、上部が取付用開孔から上側に突出するように掛止片に取り付けられたことを特徴とする。またボード用アンカーの請求項６の発明は、請求項１〜５のいずれかにおいて、軸体の他端部には、雄ネジ部が形成されていることを特徴とする。またボード用アンカーの請求項７の発明が、請求項１〜６のいずれかにおいて、位置決め片は、ボルトを取付用開孔の中心部に位置させる厚さであることを特徴とする。またボード用アンカーの請求項８の発明は、請求項１〜７のいずれかにおいて、雄ネジ部およびボルトには、高ナットがねじ込まれたことを特徴とする。
またスペーサーは、適宜厚さを有するスペーサー本体の中央部に雌ネジ部が貫通して設けられ、スペーサー本体の一面における雌ネジ部を挟んだＸ軸方向およびＹ軸方向の対向箇所にそれぞれ突起が設けられ、これらの突起間には鉄筋載置部が形成されたことを特徴とする。また鉄筋載置部は、高所載置部と低所載置部とを段差をもって形成したことを含むものである。
また中空スラブ用緊結具は、請求項３〜７のボード用アンカーの雄ネジ部またはボルトに、スラブ下筋を載せるスペーサーが取り付けられ、該スペーサーの上面には連結支柱が立設され、該連結支柱の上部にはスラブ上筋を配筋する鉄筋拘束具が設けられたことを特徴とする。
【発明の効果】
【０００７】
ボード用アンカーを取付用開孔にワンタッチで挿入することができる。また、位置決め片が取付用開孔に挿入されることにより、軸体またはボルトを取付用開孔の中心部に位置付けすることができるとともに、掛止片を均等に開かせることができる。またボード用アンカーの引き抜き力を高めることができる。
また鉄筋載置部に載置されたスラブ下筋の移動が突起によって規制されるので、取付用開孔を塞ぐことがない。またスラブ下筋を鉄筋載置部の高所載置部、または低所載置部に載置することにより、異なった被り厚に対応することができる。ボード用アンカーを型枠の取付用開孔にワンタッチで挿入することができるので、型枠に設置された中空材の浮力による変位を抑えることができる。
【発明を実施するための最良の形態】
【０００８】
以下、本発明のボード用アンカー、スペーサーおよび中空スラブ用緊結具の実施の形態について説明する。はじめに、ボード用アンカーおよび、ボード用アンカーが取り付けられるスペーサーについて説明し、その後に、このボード用アンカーとスペーサーとを使用した中空スラブ用緊結具について説明する。なお、各実施の形態において、同じ構成は同じ符号を使って説明し、異なる構成は異なった符号を付して説明する。
【０００９】
図１は、第１の実施の形態のボード用アンカー１である。このボード用アンカー１は合成樹脂製であり、軸体２の下端部から上端側に向かって外側に開いた二枚の掛止片３と、該掛止片３の自由端部に設けた、軸体２を取付用開孔の中心部に位置付けさせる位置決め片４とから構成されている。
【００１０】
軸体２は、円柱形の先端部５と、これに一体形成された直方体の中間部６と、この上に形成された円柱形の雄ネジ部７とから構成されている。そして、前記先端部５に上端側へ向かって外側に開いた二枚の掛止片３が一体形成され、該掛止片３の自由端部に位置決め片４が一体形成されている。
【００１１】
この位置決め片４は、掛止片３の自由端部に対して、内側方向に１２０〜１５０度の角度αをもって連結片８で取り付けられ、該連結片８から位置決め片４へ延びる面が中間部側面との平行面９になり、該平行面９から先が外側へ延びる傾斜面１０となっている。
なお、位置決め片４の取り付け角度は、上記のものに限定されるものではなく、任意の角度で取り付けることもできる。
【００１２】
また位置決め片４は、図２の（３）に示すように、コンクリートスラブの型枠１１の取付用開孔１２に嵌合されたときに、上部が取付用開孔１２から上側に突出するように掛止片３の自由端部に取り付けられている。また位置決め片４を、上部が取付用開孔１２から上側に突出しないように掛止片３の自由端部に取り付けることもできる。
【００１３】
図２は、コンクリートスラブの型枠１１の取付用開孔１２に、上記のボード用アンカー１を取り付ける方法を示したものである。はじめに、同図の（１）に示すように、先端部５を取付用開孔１２に挿入する。
【００１４】
次に（２）に示すように、ボード用アンカー１を取付用開孔１２に押し込むと、外側に開いていた掛止片３が閉じて、位置決め片４の平行面９が中間部６側面に押し付けられる。
【００１５】
次に、（３）に示すように、取付用開孔１２から掛止片３が押し出されて外側に開くと、位置決め片４の傾斜面１０が中間部６の側面に押し付けられて、取付用開孔１２に嵌合するとともに、この嵌合によって軸体２が取付用開孔１２の中心部に位置付けされる。そして、取付用開孔１２から僅かに突出した位置決め片４の上部を、雌ネジ部７のナット１３で下側に押し込むと、掛止片３が均等に押し開かれて、取付用開孔１２の周縁に掛け止めされる。
【００１６】
図３は、第２の実施の形態のボード用アンカー１４である。このボード用アンカー１４は、第１の実施の形態のボード用アンカー１の掛止片３に位置決め片４を設けずに、軸体２の上部に、取付用開孔１２に嵌合される嵌合体１５を一体形成したものであり、これ以外は第１の実施の形態のボード用アンカー１と同じ構成である。これは掛止片３の保持機能はないが、アンカーの保持機能は確保している。
【００１７】
このボード用アンカー１における掛止片３間の軸体２は、取付用開孔２１の径をφするとき厚さＡが（０．８〜１．０）×φで、幅Ｂが（０．２〜０．３）×φである。また掛止片３は、厚さＣが（０．２〜０．３）×φで、最大開き寸法Ｄが（１．２５〜１．５）×φで、掛止片の傾斜角度が１：１．５〜２．５である。このような寸法により引き抜き耐力を高めることができる。
【００１８】
図４は、上記と同じように、ボード用アンカー１４の取付方法を示したものである。はじめに、同図の（１）に示すように、先端部５を取付用開孔１２に挿入する。次に（２）に示すように、ボード用アンカー１４を取付用開孔１２に押し込むと、外側に開いていた掛止片３が閉じる。
【００１９】
次に、（３）に示すように、取付用開孔１２に嵌合体１５が嵌入されて、軸体２をその中心部に位置付けさせるとともに、取付用開孔１２から掛止片３が押し出されると同時に均等に開いて取付用開孔１２の周縁に掛け止めされる。
【００２０】
図５は、第３の実施の形態のボード用アンカー１６である。このボード用アンカー１６は、ボルト１７の頭部側にねじ込まれた筒体１８に、他端部に向かって外側に開いた二枚の掛止片１９が設けられ、該掛止片１９の自由端部には位置決め片２０がリング状の嵌合体２０ａによって接続されて構成されている。
【００２１】
この位置決め片２０はボルト１７をスライドし、該ボルト１７が取付用開孔１２に嵌合されたときに、ボルト１７を取付用開孔の中心部に位置付けさせるとともに、掛止片１９を外側に開かせるものである。
【００２２】
この位置決め片２０も、図５の（６）に示すように、型枠１１の取付用開孔１２に嵌合されたときに、上部が取付用開孔１２から上側に突出するように掛止片１９の自由端部に取り付けられている。また位置決め片２０を、上部が取付用開孔１２から上側に突出しないように掛止片１９の自由端部に取り付けることもできる。
【００２３】
したがって、同図の（５）に示すように、ボード用アンカー１６を取付用開孔１２に押し込むと、掛止片１９が内側に閉じるとともに、位置決め片２０がボルト１７の上側に移動する。そして、同図の（６）に示すように、ボード用アンカー１６をさらに押し込むと、位置決め片２０も取付用開孔１２に嵌入されて、ボルト１７をその中心部に位置付けするとともに、掛止片１９を均等に開いて、取付用開孔１２の周縁に掛け止めさせる。そして、取付用開孔１２から僅かに突出した位置決め片２０の上部を、ナット１３で下側に押し込むと、掛止片１９をさらに押し開らくことができる。
【００２４】
図６は、第４の実施の形態のボード用アンカー２１である。このボード用アンカー２１は、第１の形態のボード用アンカー１の雄ネジ部７に高ナット２２をねじ込んだものであり、これ以外は第１の形態のボード用アンカー１と同じ構成である。
【００２５】
このボード用アンカー２１は、図６に示すように、型枠１１に断熱材２３が設置されて、雄ネジ部７をスペーサー２４にねじ込めないときに使用するものである。この高ナット２２にスペーサー２４側からの連結ボルト２５をねじ込むことよって、スペーサー２４を取り付けることができる。
【００２６】
この高ナット２２は第１の形態のボード用アンカー１の雄ネジ部７にねじ込んだが、これに限らず、第２および第３の実施の形態のボード用アンカー１４、１６の雄ネジ部７にねじ込むこともできる。なお、このボード用アンカー２１の取付方法も上記と同じ方法で行うものとする。
【００２７】
図７は、スペーサー２６の実施の形態を示したものである。このスペーサー２６は合成樹脂製であり、適宜高さのスペーサー本体の中央部に雌ネジ部２７が貫通して設けられ、該雌ネジ部２７を挟んだＸ軸方向およびＹ軸方向の対向箇所にそれぞれ突起２８が設けられ、これらの突起２８間に鉄筋載置部２９が形成されて構成されている。
【００２８】
この突起２８は、雌ネジ部２７の中心を通るＸ軸およびＹ軸上に設けられて、鉄筋載置部２９に載置されたスラブ下筋３０により、雌ネジ部２７が塞がれないようにするものである。すなわち、Ｘ軸方向およびＹ軸方向に配筋されたスラブ下筋３０の移動が突起２８で規制されるので、雌ネジ部２７が塞がれない。
【００２９】
また鉄筋載置部２９は、Ｘ軸における高所載置部３１と、Ｙ軸における低所載置部３２とが段差をもって形成され、該低所載置部３２が凸部３３により二つに区画されて、スラブ下筋３０が並列に配筋できるようになっている。この高所載置部３１と低所載置部３２とは、異なった被り厚を確保するためのものであり、例えば屋内でスラブを構築するときは低所載置部３２にスラブ下筋３０を配筋し、屋外でスラブを構築するときは高所載置部３１にスラブ下筋３０を配筋する。
【００３０】
図８は、上記のスペーサー２６と、ボード用アンカー１とを使用した中空スラブ用緊結具（以下、緊結具という）３４の実施の形態を示したものである。この緊結具３４はスぺーサー２６と、このスぺーサー２６の雌ネジ部２７の下側に設けたボード用アンカー１と、雌ネジ部２７の上側に設けた連結支柱３５とから構成されている。
【００３１】
スペーサーの鉄筋載置部２９には、スラブ下筋３０の横筋３０ａと縦筋３０ｂとが設置され、これらが突起２８で雌ネジ部２７を塞がないように配筋されており、該雌ネジ部２７に連結支柱３５が確実にねじ込めるようになっている。
【００３２】
この連結支柱３５は型枠に設置された中空材の浮き上がりを防ぐものであり、上部の雄ネジ部７にスラブ上筋３６を挟み付ける鉄筋拘束具３７が設けられている。この鉄筋拘束具３７は上部挟持板３８と下部挟持板３９とからなり、スラブ上筋の横筋３６ａが下部挟持板３９の上に載置され、この横筋３６ａの上に配筋された縦筋３６ｂに上部挟持板３８が載せられ、これがナット４０で締め付けられている。したがって、これらスラブ上筋３６とスラブ下筋３０とに挟まれた前記中空材の浮き上がりを防ぐことができる。
【図面の簡単な説明】
【００３３】
【図１】第１の実施の形態のボード用アンカーであり、（１）は正面図、（２）は側面図、（３）は平面図である。
【図２】第１の実施の形態のボード用アンカーの取付方法を示したものであり、（１）はボード用アンカーの先端部を取付用開孔に挿入した断面図、（２）は掛止片を取付用開孔に挿入した断面図、（３）はボード用アンカーを取付用開孔に取り付けた断面図である。
【図３】第２の実施の形態のボード用アンカーであり、（１）は正面図、（２）は側面図、（３）は平面図である。
【図４】第２の実施の形態のボード用アンカーの取付方法を示したものであり、（１）はボード用アンカーの先端部を取付用開孔に挿入した断面図、（２）は掛止片を取付用開孔に挿入した断面図、（３）はボード用アンカーを取付用開孔に取り付けた断面図である。
【図５】第３の実施の形態のボード用アンカーであり、（１）は断面図、（２）は平面図、（３）は（１）のＡ−Ａ断面図、（４）は斜視図、（５）および（６）はボード用アンカーを取付用開孔に取り付ける断面図である。
【図６】第４の実施の形態のボード用アンカーの断面図である。
【図７】スペーサーであり、（１）は断面図、（２）は平面図、（３）は斜視図である。
【図８】緊結具の断面図である。
【図９】従来のボード用アンカーの断面図である。
【図１０】従来のスペーサーであり、（１）は断面図、（２）は平面図である。
【符号の説明】
【００３４】
１、１４、１６、２１、４１  ボード用アンカー
２  軸体
３、１９、４３  掛止片
４、２０  位置決め片
５  先端部
６  中間部
７  雄ネジ部
８  連結片
９  平行面
１０  傾斜面
１１、４６  型枠
１２、４５  取付用開孔
１３、４０  ナット
１５  嵌合体
１７、４４  ボルト
１８、４２  筒体
２０ａ  嵌合体
２２  高ナット
２３  断熱材
２４、２６、４７  スペーサー
２５  連結ボルト
２７、４８  雌ネジ部
２８  突起
２９  鉄筋載置部
３０、４９  スラブ下筋
３０ａ、３６ａ  横筋
３０ｂ、３６ｂ  縦筋
３１  高所載置部
３２  低所載置部
３３  凸部
３４  緊結具
３５  連結支柱
３６  スラブ上筋
３７  挟持板
３８  上部挟持板
３９  下部挟持板
【図１】
2005133467.tif 000003
【図２】
2005133467.tif 000004
【図３】
2005133467.tif 000005
【図４】
2005133467.tif 000006
【図５】
2005133467.tif 000007
【図６】
2005133467.tif 000008
【図７】
2005133467.tif 000009
【図８】
2005133467.tif 000010
【図９】
2005133467.tif 000011
【図１０】
2005133467.tif 000012